【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
歯を位置変えしかつ口腔環境に試薬を放出するシステムであって、該システムは、以下：
少なくとも３個の歯位置決め器具であって、ここで、該器具は、空洞を有する高分子シェルを含み、該シェルは、歯に取り外し可能に設置可能であり、ここで、連続シェルの該空洞は、１配列から次の配列まで歯を位置変えする形状にされている、高分子シェル；および
該器具を歯で所定位置にしたときに該口腔環境に該試薬を放出する手段であって、該器具の少なくとも一部に連結される、手段、
を備え、該試薬が、フッ化物、抗生物質、漂白物質、矯味矯臭剤および香料からなる群から選択される物質を含有する、システム。
【請求項２】
前記放出手段が、前記試薬を含有する層を含み、該層が、前記器具の表面の少なくとも一部の上に形成されている、請求項１に記載のシステム。
【請求項３】
前記表面が、空洞表面である、請求項２に記載のシステム。
【請求項４】
前記表面が、外面である、請求項２に記載のシステム。
【請求項５】
前記層が、前記試薬から本質的になる、請求項２に記載のシステム。
【請求項６】
前記層が、キャリアまたは結合剤中またはその上に存在している前記試薬を含有する、請求項２に記載のシステム。
【請求項７】
前記試薬が、前記層にカプセル化されている、請求項２に記載のシステム。
【請求項８】
前記試薬が、高分子材料にマイクロカプセル化された該試薬を含有する、請求項６または７に記載のシステム。
【請求項９】
前記層が、速度制御物質を含有し、ここで、該速度制御物質が、前記試薬が該層から放出される速度を制御する、請求項７に記載のシステム。
【請求項１０】
前記速度制御物質が、高分子マトリックスを含有する、請求項９に記載のシステム。
【請求項１１】
前記試薬が、前記高分子マトリックスを通る拡散により、前記層から放出される、請求項１０に記載のシステム。
【請求項１２】
前記試薬が、前記高分子マトリックスの分解により、前記層から放出される、請求項１０に記載のシステム。
【請求項１３】
前記速度制御物質が、多孔質であり、そして前記試薬が、細孔からの溶出により、該物質から放出される、請求項９に記載のシステム。
【請求項１４】
前記高分子シェルの少なくともいくらかの少なくとも一部が、速度制御物質から形成され、ここで、該速度制御物質が、前記試薬が前記シェルから放出される速度を制御する、請求項１に記載のシステム。
【請求項１５】
前記速度制御物質が、高分子マトリックスを含有する、請求項１４に記載のシステム。
【請求項１６】
前記試薬が、前記高分子マトリックスを通る拡散により、前記層から放出される、請求項１５に記載のシステム。
【請求項１７】
前記速度制御物質が、多孔質であり、そして前記試薬が、細孔からの溶出により、該物質から放出される、請求項１４に記載のシステム。
【請求項１８】
前記放出手段が、歯を収容する前記空洞に加えて、前記シェルに形成されたレザバを含む、請求項１に記載のシステム。
【請求項１９】
さらに、前記レザバ上に配置された速度制御膜を含み、ここで、該速度制御膜が、前記試薬が該レザバから放出される速度を制御する、請求項１８に記載のシステム。
【請求項２０】
前記レザバが、放出される前記試薬を予め充填されている、請求項１９に記載のシステム。
【請求項２１】
前記レザバが、放出される前記試薬を補充され得る、請求項１９に記載のシステム。
【請求項２２】
前記試薬が、前記群から選択される少なくとも２種の物質を含有する、請求項１に記載のシステム。
【請求項２３】
前記物質が、酸性にしたリン酸フッ化物ゲル、中性フッ化ナトリウム、フッ化水素およびフッ化スズからなる群から選択されるフッ化物である、請求項１に記載のシステム。
【請求項２４】
前記物質が、テトラサイクリンおよびクロルヘキシジンからなる群から選択される抗生物質である、請求項１に記載のシステム。
【請求項２５】
前記物質が、過酸化カルバミドである、請求項１に記載のシステム。
【請求項２６】
前記物質が、精油、天然矯味矯臭剤および人工矯味矯臭剤からなる群から選択される矯味矯臭剤または香料である、請求項１に記載のシステム。
【請求項２７】
歯を位置変えすると同時に患者の口腔環境に試薬を送達するシステムであって、該システムは、以下：
患者の歯に設置されるように構成された第一歯位置調節器具であって、ここで、該歯は、第一歯配列に移動する、第一歯位置調節器具；および
該歯を該第一歯配列に移動した後、患者の歯に設置されるように構成された第二歯位置調節器具であって、ここで、該歯は、第二歯配列に移動する、第二歯位置調節器具；
を備え、ここで、該試薬は、該器具が歯で所定位置にある間、該第一および第二歯位置調節器具の少なくとも１個から口腔環境へと放出され、該試薬が、フッ化物、抗生物質、漂白物質、矯味矯臭剤および香料からなる群から選択される物質を含有する、システム。
【請求項２８】
前記器具を前記歯に設置する前に、前記試薬が前記第一または第二歯位置決め器具に装填される、請求項２７に記載のシステム。
【請求項２９】
前記器具を前記歯に設置する直前に、該器具にある歯収容空洞に前記試薬が入れられる、請求項２８に記載のシステム。
【請求項３０】
前記器具を前記歯に設置する直前に、該器具にある試薬放出レザバに前記試薬が入れられる、請求項２８に記載のシステム。
【請求項３１】
前記器具を前記歯に設置する直前に、前記試薬を含有する速度制御物質が該器具の表面に付着させられる、請求項２８に記載のシステム。
【請求項３２】
前記器具を前記歯に設置する直前に、該器具の上またはその中にある多孔質物質に、該試薬が吸収させられる、請求項２８に記載のシステム。
【請求項３３】
前記第一または第二歯位置調節器具が、前記歯が前記第一または第二歯配列の少なくとも近くに移動するまで、定期的に設置され除去されるように構成されており、該器具を該歯から除去している間であって該器具を該歯に戻す前、該試薬が補充されるために適している、請求項２７に記載のシステム。
【請求項３４】
前記器具が、前記器具を前記歯に戻すたびに、その直前に、前記試薬を補充される、請求項３３に記載のシステム。
【請求項３５】
前記第一および第二器具の各々が、前記歯に設置する前に、前記試薬を予め装填されている、請求項２７に記載のシステム。
【請求項３６】
歯を位置変えするための処方された治療計画に試薬送達を導入するシステムであって、該システムは、以下：
少なくとも３個の歯位置決め器具であって、ここで、該器具は、空洞を有する高分子シェルを含み、該器具は、歯に取り外し可能に設置可能であるように構成されており、ここで、連続シェルの該空洞は、該治療計画に従って、１配列から次の配列まで歯を位置変えする形状にされており、
少なくとも１個の器具が試薬に連結されるように構成されており、該試薬は、該器具を歯で所定位置にしたときに口腔環境に放出され、該試薬が、フッ化物、抗生物質、漂白物質、矯味矯臭剤および香料からなる群から選択される物質を含有する、歯位置決め器具、
を備える、システム。
【請求項３７】
取り込まれた前記試薬が、層であり、そして該試薬を含む該層が、前記器具の表面の少なくとも一部に付着される、請求項３６に記載のシステム。
【請求項３８】
前記層が、前記試薬から本質的になり、そして該試薬が、前記表面に塗装、噴霧、浸漬または塗布されるために適切である、請求項３７に記載のシステム。
【請求項３９】
前記層が、キャリアまたは結合剤中またはその上に存在している前記試薬を含有する、請求項３７に記載のシステム。
【請求項４０】
前記層が、該層にカプセル化されている試薬を含む、請求項３７に記載のシステム。
【請求項４１】
前記層が、速度制御物質のシートを含み、ここで、該速度制御物質が、前記試薬が該層から放出される速度を制御する、請求項４０に記載のシステム。
【請求項４２】
前記シートが、接着剤を使って、前記表面に結合される、請求項４１に記載のシステム。
【請求項４３】
前記シートが、プレスばめにより、前記表面に貼り付けられる、請求項４１に記載のシステム。
【請求項４４】
前記シートが、前記器具の前記表面または前記歯または歯肉の表面に嵌るように適合された形状に前成形されている、請求項４１に記載のシステム。